(57)【要約】      （修正有）【課題】バスバと電気素子との接続部位での接続不良の発生が抑制された電力変換ユニットを提供する。【解決手段】電力変換ユニット３００は、電気素子３０６、３８０、３９０ｂとそれらを接続するバスバ３０３、３０４、３３２と、これらを収納する筐体５１０と、筐体５１０に設けられた底絶縁部材５１１ｄと、を備える。筐体５１０は、底部５１１に底リブ５１１ｂ、５１１ｃを有する。その先端に底絶縁部材５１１ｄが設けられている。バスバ３３２に底絶縁部材５１１ｄが接触している。【選択図】図５
2020167786.tif 000002
【特許請求の範囲】
【請求項１】
複数の電気素子（３０５，３０６，３７０，３８０，３９０ａ，３９０ｂ）と、
複数の前記電気素子を接続するバスバ（３０１〜３０４，３３１〜３３３）と、
前記電気素子と前記バスバそれぞれを収納する筐体（５１０）と、
前記筐体に設けられた底絶縁部材（５１１ｄ）と、を有し、
前記筐体は、複数の前記電気素子の設けられる底部（５１１）を有し、
前記底部は、前記バスバにおける複数の前記電気素子を架橋する部位に向かって突起する底リブ（５１１ｂ，５１１ｃ）を有し、
前記底リブの先端の第１先端面（５１１ｅ）に前記底絶縁部材が設けられ、
前記バスバに前記底絶縁部材が接触している電力変換ユニット。
【請求項２】
複数の前記電気素子には、複数のスイッチ（３２１〜３２６，３５０，３５１）と、複数の前記スイッチそれぞれを保持しつつ冷却するための冷却器（３１７）と、を備えるパワーモジュール（３８０）が含まれ、
前記筐体は、前記底リブに連結された側部（５１３）と、前記側部と離間する態様で前記底リブに連結された支持部（５１４）と、を有し、
前記筐体には、前記パワーモジュールを前記筐体に固定するためのバネ体（５１５）が設けられており、
前記冷却器は、前記側部に接触しつつ前記支持部と離間する態様で、前記側部と前記支持部との間に設けられ、
前記バネ体は、前記冷却器と前記支持部それぞれに接触する態様で、前記冷却器と前記支持部との間に設けられ、
前記バネ体が前記冷却器と前記支持部との間でたわんでいる請求項１に記載の電力変換ユニット。
【請求項３】
前記筐体に連結される蓋体（５２０）を有し、
前記蓋体は前記底リブに向かって延びる蓋リブ（５２１ｂ，５２１ｃ）を有し、
前記蓋リブの先端の第２先端面（５２１ｅ）に蓋絶縁部材（５２１ｄ）が設けられ、
前記バスバに前記蓋絶縁部材が接触している請求項１または請求項２に記載の電力変換ユニット。
【請求項４】
前記筐体に連結される蓋体（５２０）を有し、
前記蓋体は、前記底リブに向かって延びる蓋リブ（５２１ｂ，５２１ｃ）と、ボルトの軸部の挿入される蓋ボルト孔（５２３ｃ，５２４ｆ）の形成された蓋締結部（５２３ｂ，５２４ａ，５２４ｂ）と、を有し、
前記側部と前記支持部の少なくとも一方は、前記ボルトの軸部の先端の挿入される底ボルト孔（５１３ｃ，５１４ｆ）の形成された底締結部（５１３ｂ，５１４ａ，５１４ｂ）を有し、
前記蓋リブの先端の第２先端面（５２１ｅ）に蓋絶縁部材（５２１ｄ）が設けられ、
前記バスバに前記蓋絶縁部材が接触している請求項２に記載の電力変換ユニット。
【発明の詳細な説明】
【技術分野】
【０００１】
本明細書に記載の開示は電力変換ユニットに関するものである。
【背景技術】
【０００２】
特許文献１に示されるように、半導体モジュールのパワー端子にバスバが接合された電力変換装置が知られている。
【先行技術文献】
【特許文献】
【０００３】
【特許文献１】特開２００９−１４２０００号公報
【発明の概要】
【発明が解決しようとする課題】
【０００４】
特許文献１に記載の構成において、例えば車両走行時などの振動によってバスバが振動すると、バスバとパワー端子との接続部位に応力が作用する虞がある。これにより、バスバとパワー端子とに接続不良が生じる虞がある。すなわち、バスバと半導体モジュールなどの電気素子との接続部位で接続不良が生じる虞がある。
【０００５】
そこで本明細書に記載の開示は、バスバと電気素子との接続部位での接続不良の発生が抑制された電力変換ユニットを提供することを目的とする。
【課題を解決するための手段】
【０００６】
開示の１つは、複数の電気素子（３０５，３０６，３７０，３８０，３９０ａ，３９０ｂ）と、
複数の電気素子を接続するバスバ（３０１〜３０４，３３１〜３３３）と、
電気素子とバスバそれぞれを収納する筐体（５１０）と、
筐体に設けられた底絶縁部材（５１１ｄ）と、を有し、
筐体は、複数の電気素子の設けられる底部（５１１）を有し、
底部は、バスバにおける複数の電気素子を架橋する部位に向かって突起する底リブ（５１１ｂ，５１１ｃ）を有し、
底リブの先端の第１先端面（５１１ｅ）に底絶縁部材が設けられ、
バスバに底絶縁部材が接触している。
【０００７】
このように本開示ではバスバ（３０１〜３０４，３３１〜３３３）は底絶縁部材（５１１ｄ）を介して底リブ（５１１ｂ，５１１ｃ）に支持される。そのためにバスバ（３０１〜３０４，３３１〜３３３）の振動が抑制される。その結果、バスバ（３０１〜３０４，３３１〜３３３）と電気素子（３０５，３０６，３７０，３８０，３９０ａ，３９０ｂ）との接続部位での接続不良の発生が抑制される。
【０００８】
なお、上記の括弧内の参照番号は、後述の実施形態に記載の構成との対応関係を示すものに過ぎず、技術的範囲を何ら制限するものではない。
【図面の簡単な説明】
【０００９】
【図１】車載システムの電気回路図である。
【図２】電力変換ユニットの上面図である。
【図３】筐体の上面図である。
【図４】蓋体の下面図である。
【図５】図２に示すＶ−Ｖ線に沿う断面線に対応する電力変換ユニットの断面図である。
【図６】電力変換ユニットの第１変形例を説明するための断面図である。
【図７】電力変換ユニットの第２変形例を説明するための断面図である。
【発明を実施するための形態】
【００１０】
以下、実施形態を図に基づいて説明する。
【００１１】
（第１実施形態）
図１に基づいて本実施形態に係る電力変換ユニット３００を説明する。
【００１２】
＜車載システム＞
先ず、図１に基づいて電力変換ユニット３００の設けられる車載システム１００を説明する。この車載システム１００は電気自動車用のシステムを構成している。車載システム１００は、バッテリ２００、電力変換ユニット３００、および、モータ４００を有する。
【００１３】
また車載システム１００は図示しない複数のＥＣＵを有する。これら複数のＥＣＵはバス配線を介して相互に信号を送受信している。複数のＥＣＵは協調して電気自動車を制御している。複数のＥＣＵの制御により、バッテリ２００のＳＯＣに応じたモータ４００の回生と力行が制御される。ＳＯＣはstate of chargeの略である。ＥＣＵはelectronic control unitの略である。
【００１４】
バッテリ２００は複数の二次電池を有する。これら複数の二次電池は直列接続された電池スタックを構成している。この電池スタックのＳＯＣがバッテリ２００のＳＯＣに相当する。二次電池としてはリチウムイオン二次電池、ニッケル水素二次電池、および、有機ラジカル電池などを採用することができる。
【００１５】
電力変換ユニット３００はバッテリ２００とモータ４００との間の電力変換を行う。電力変換ユニット３００はバッテリ２００の直流電力をモータ４００の力行に適した電圧レベルの交流電力に変換する。電力変換ユニット３００はモータ４００の発電（回生）によって生成された交流電力をバッテリ２００の充電に適した電圧レベルの直流電力に変換する。
【００１６】
モータ４００は図示しない電気自動車の出力軸に連結されている。モータ４００の回転エネルギーは出力軸を介して電気自動車の走行輪に伝達される。逆に、走行輪の回転エネルギーは出力軸を介してモータ４００に伝達される。
【００１７】
モータ４００は電力変換ユニット３００から供給される交流電力によって力行する。これにより推進力が走行輪に付与される。またモータ４００は走行輪から伝達される回転エネルギーによって回生する。この回生によって発生した交流電力は、電力変換ユニット３００によって直流電力に変換されるとともに降圧される。この直流電力がバッテリ２００に供給される。また直流電力は電気自動車に搭載された各種電気負荷にも供給される。
【００１８】
＜電力変換装置＞
次に電力変換ユニット３００を説明する。電力変換ユニット３００はコンバータ３４０とインバータ３１０を備えている。コンバータ３４０はバッテリ２００の直流電力をモータ４００の力行に適した電圧レベルに昇圧する。インバータ３１０はこの直流電力を交流電力に変換する。この交流電力がモータ４００に供給される。またインバータ３１０はモータ４００で生成された交流電力を直流電力に変換する。コンバータ３４０はこの直流電力をバッテリ２００の充電に適した電圧レベルに降圧する。
【００１９】
図１に示すようにコンバータ３４０は第１給電バスバ３０１と第２給電バスバ３０２を介してバッテリ２００と電気的に接続されている。コンバータ３４０は第３給電バスバ３０３と第４給電バスバ３０４を介してインバータ３１０と電気的に接続されている。
【００２０】
第１給電バスバ３０１はバッテリ２００の正極に接続されている。第２給電バスバ３０２はバッテリ２００の負極に接続されている。これら第１給電バスバ３０１と第２給電バスバ３０２に第１コンデンサ３０５が接続されている。第１コンデンサ３０５の有する２つの電極のうちの一方が第１給電バスバ３０１に接続され、他方が第２給電バスバ３０２に接続されている。
【００２１】
第３給電バスバ３０３は後述の第１ハイサイドスイッチ３５０と接続されている。第４給電バスバ３０４は第２給電バスバ３０２と接続されている。これら第３給電バスバ３０３と第４給電バスバ３０４に第２コンデンサ３０６が接続されている。第２コンデンサ３０６の有する２つの電極のうちの一方が第３給電バスバ３０３に接続され、他方が第４給電バスバ３０４に接続されている。
【００２２】
インバータ３１０はＵ相バスバ３３１〜Ｗ相バスバ３３３を介してモータ４００のＵ相ステータコイル〜Ｗ相ステータコイルと電気的に接続されている。
【００２３】
＜コンバータ＞
コンバータ３４０は、Ａ相レグ３４１とリアクトル３７０を有する。Ａ相レグ３４１は第１ハイサイドスイッチ３５０と第１ローサイドスイッチ３５１を有する。第１ハイサイドスイッチ３５０と第１ローサイドスイッチ３５１はそれぞれＩＧＢＴである。第１ハイサイドスイッチ３５０と第１ローサイドスイッチ３５１それぞれに還流ダイオード３６０が並列接続されている。これら第１ハイサイドスイッチ３５０と第１ローサイドスイッチ３５１、および、還流ダイオード３６０それぞれが樹脂封止されている。これによりＡ相レグ３４１は半導体モジュールを構成している。
【００２４】
図１に示すように第１ハイサイドスイッチ３５０と第１ローサイドスイッチ３５１は第３給電バスバ３０３から第２給電バスバ３０２に向かって順に直列接続されている。第１ハイサイドスイッチ３５０と第１ローサイドスイッチ３５１の中点が第１給電バスバ３０１に接続されている。この第１給電バスバ３０１にリアクトル３７０が接続されている。
【００２５】
コンバータ３４０の第１ハイサイドスイッチ３５０と第１ローサイドスイッチ３５１はＥＣＵによって開閉制御される。ＥＣＵは制御信号を生成し、それをゲートドライバに出力する。ゲートドライバは制御信号を増幅してスイッチのゲート電極に出力する。これによりＥＣＵはコンバータ３４０に入力される直流電力の電圧レベルを昇降圧する。
【００２６】
ＥＣＵは制御信号としてパルス信号を生成している。ＥＣＵはこのパルス信号のオンデューティ比と周波数を調整することで直流電力の昇降圧レベルを調整している。このようにＥＣＵはスイッチをＰＷＭ制御している。昇降圧レベルはモータ４００の目標トルクとバッテリ２００のＳＯＣに応じて決定される。
【００２７】
バッテリ２００の直流電力を昇圧する場合、ＥＣＵは第１ハイサイドスイッチ３５０と第１ローサイドスイッチ３５１それぞれを交互に開閉する。これとは反対にインバータ３１０から供給された直流電力を降圧する場合、ＥＣＵは第１ローサイドスイッチ３５１に出力する制御信号をローレベルに固定する。それとともにＥＣＵは第１ハイサイドスイッチ３５０に出力する制御信号をハイレベルとローレベルに順次切り換える。
【００２８】
＜インバータ＞
インバータ３１０はＵ相レグ群、Ｖ相レグ群、および、Ｗ相レグ群から成るスイッチ群３２０を備える。
【００２９】
Ｕ相レグ群は第１Ｕ相レグ３１１と第２Ｕ相レグ３１２を有する。第１Ｕ相レグ３１１と第２Ｕ相レグ３１２それぞれは第２ハイサイドスイッチ３２１と第２ローサイドスイッチ３２２を有する。第２ハイサイドスイッチ３２１と第２ローサイドスイッチ３２２はそれぞれＩＧＢＴである。第２ハイサイドスイッチ３２１と第２ローサイドスイッチ３２２それぞれに還流ダイオード３６０が並列接続されている。これら第２ハイサイドスイッチ３２１と第２ローサイドスイッチ３２２、および、還流ダイオード３６０が樹脂封止されている。これにより第１Ｕ相レグ３１１と第２Ｕ相レグ３１２それぞれは半導体モジュールを構成している。
【００３０】
第１Ｕ相レグ３１１と第２Ｕ相レグ３１２それぞれの第２ハイサイドスイッチ３２１と第２ローサイドスイッチ３２２は第３給電バスバ３０３から第４給電バスバ３０４に向かって順に直列接続されている。これら第２ハイサイドスイッチ３２１と第２ローサイドスイッチ３２２との間の中点にＵ相バスバ３３１が接続されている。
【００３１】
Ｖ相レグ群は第１Ｖ相レグ３１３と第２Ｖ相レグ３１４を有する。第１Ｖ相レグ３１３と第２Ｖ相レグ３１４それぞれは第３ハイサイドスイッチ３２３と第３ローサイドスイッチ３２４を有する。第３ハイサイドスイッチ３２３と第３ローサイドスイッチ３２４はそれぞれＩＧＢＴである。第３ハイサイドスイッチ３２３と第３ローサイドスイッチ３２４それぞれに還流ダイオード３６０が並列接続されている。これら第３ハイサイドスイッチ３２３と第３ローサイドスイッチ３２４、および、還流ダイオード３６０が樹脂封止されている。これにより第１Ｖ相レグ３１３と第２Ｖ相レグ３１４それぞれは半導体モジュールを構成している。
【００３２】
第１Ｖ相レグ３１３と第２Ｖ相レグ３１４それぞれの第３ハイサイドスイッチ３２３と第３ローサイドスイッチ３２４は第３給電バスバ３０３から第４給電バスバ３０４に向かって順に直列接続されている。これら第３ハイサイドスイッチ３２３と第３ローサイドスイッチ３２４との間の中点にＶ相バスバ３３２が接続されている。
【００３３】
Ｗ相レグ群は第１Ｗ相レグ３１５と第２Ｗ相レグ３１６を有する。第１Ｗ相レグ３１５と第２Ｗ相レグ３１６それぞれは第４ハイサイドスイッチ３２５と第４ローサイドスイッチ３２６を有する。第４ハイサイドスイッチ３２５と第４ローサイドスイッチ３２６はそれぞれＩＧＢＴである。第４ハイサイドスイッチ３２５と第４ローサイドスイッチ３２６それぞれに還流ダイオード３６０が並列接続されている。これら第４ハイサイドスイッチ３２５と第４ローサイドスイッチ３２６、および、還流ダイオード３６０が樹脂封止されている。これにより第１Ｗ相レグ３１５と第２Ｗ相レグ３１６それぞれは半導体モジュールを構成している。
【００３４】
第１Ｗ相レグ３１５と第２Ｗ相レグ３１６それぞれの第４ハイサイドスイッチ３２５と第４ローサイドスイッチ３２６は第３給電バスバ３０３から第４給電バスバ３０４に向かって順に直列接続されている。これら第４ハイサイドスイッチ３２５と第４ローサイドスイッチ３２６との間の中点にＷ相バスバ３３３が接続されている。
【００３５】
以上に示したＵ相〜Ｗ相の３相のレグのハイサイドスイッチとローサイドスイッチの中点に接続されたＵ相バスバ３３１、Ｖ相バスバ３３２、および、Ｗ相バスバ３３３それぞれは図２に示す第２コネクタ３９０ｂに設けられる。この第２コネクタ３９０ｂにワイヤハーネスなどが接続される。このワイヤハーネスを介して、Ｕ相〜Ｗ相の３相のバスバそれぞれがモータ４００のＵ相〜Ｗ相の３相のステータコイルに接続されている。
【００３６】
なおＵ相〜Ｗ相の３相のバスバそれぞれには電流センサ３３０が設けられている。これら３相のバスバと電流センサ３３０は図２に示す樹脂製の端子台３３４にインサート成形されている。
【００３７】
以上に示したようにインバータ３１０はモータ４００のＵ相〜Ｗ相の３相のステータコイルそれぞれに対応するＵ相〜Ｗ相の３相のレグ群を有する。これら３相のレグ群それぞれのスイッチのゲート電極に、ゲートドライバによって信号強度の増幅されたＥＣＵの制御信号が入力される。
【００３８】
モータ４００を力行する場合、ＥＣＵからの制御信号の出力によってスイッチがＰＷＭ制御される。これによりインバータ３１０で３相交流が生成される。モータ４００が発電（回生）する場合、ＥＣＵは例えば制御信号の出力を停止する。これによりモータ４００の発電によって生成された交流電力がスイッチに並列接続された還流ダイオード３６０を通る。この結果、交流電力が直流電力に変換される。
【００３９】
＜電力変換装置の構成＞
次に、電力変換ユニット３００の機械的な構成を説明する。それに当たって、以下においては互いに直交の関係にある３方向をｘ方向、ｙ方向、および、ｚ方向とする。
【００４０】
＜半導体モジュールの端子＞
上記したようにコンバータ３４０とインバータ３１０に含まれる複数の相のレグはそれぞれ半導体モジュールを構成している。これら複数相のレグそれぞれは、図２に示すコレクタ端子３０８とエミッタ端子３０９を有する。
【００４１】
コレクタ端子３０８の一端はハイサイドスイッチのコレクタ電極に接続されている。エミッタ端子３０９の一端はローサイドスイッチのエミッタ電極に接続されている。これら２つの端子それぞれの一端は樹脂封止されている。しかしながらこれら２つの端子それぞれの他端は樹脂から露出されている。このコレクタ端子３０８の他端が第３給電バスバ３０３に接続されている。エミッタ端子３０９の他端が第４給電バスバ３０４に接続されている。
【００４２】
また複数相のレグそれぞれは、これらコレクタ端子３０８とエミッタ端子３０９の他に、直列接続されたハイサイドスイッチとローサイドスイッチとの間の中点に一端の接続される端子を有する。この端子は、上記の２つの端子と同様にして、一端が樹脂に封止され、他端が樹脂から露出されている。
【００４３】
以下においては、この端子とバスバとの接続を明瞭とするために、複数相のレグそれぞれの備える端子について個別に名称を付けるとともに、個別に符号を付与する。図面においても同様である。具体的には、以下に示す通りである。
【００４４】
図１および図２に示すようにコンバータ３４０の備えるＡ相レグ３４１は、第１ハイサイドスイッチ３５０と第１ローサイドスイッチ３５１との間の中点に接続されたバッテリ端子３４１ａを有する。このバッテリ端子３４１ａの他端が第１給電バスバ３０１に接続されている。
【００４５】
インバータ３１０の備える第１Ｕ相レグ３１１は、第２ハイサイドスイッチ３２１と第２ローサイドスイッチ３２２との間の中点に接続された第１モータ端子３１１ａを有する。第２Ｕ相レグ３１２は、第２ハイサイドスイッチ３２１と第２ローサイドスイッチ３２２との間の中点に接続された第２モータ端子３１２ａを有する。これら第１モータ端子３１１ａと第２モータ端子３１２ａそれぞれの他端がＵ相バスバ３３１に接続されている。
【００４６】
第１Ｖ相レグ３１３は、第３ハイサイドスイッチ３２３と第３ローサイドスイッチ３２４との間の中点に接続された第３モータ端子３１３ａを有する。第２Ｖ相レグ３１４は、第３ハイサイドスイッチ３２３と第３ローサイドスイッチ３２４との間の中点に接続された第４モータ端子３１４ａを有する。これら第３モータ端子３１３ａと第４モータ端子３１４ａそれぞれの他端がＶ相バスバ３３２に接続されている。
【００４７】
第１Ｗ相レグ３１５は、第４ハイサイドスイッチ３２５と第４ローサイドスイッチ３２６との間の中点に接続された第５モータ端子３１５ａを有する。第２Ｗ相レグ３１６は、第４ハイサイドスイッチ３２５と第４ローサイドスイッチ３２６との間の中点に接続された第６モータ端子３１６ａを有する。これら第５モータ端子３１５ａと第６モータ端子３１６ａそれぞれの他端がＷ相バスバ３３３に接続されている。
【００４８】
＜パワーモジュール＞
電力変換ユニット３００はこれまでに説明した回路要素の他に、図２に示す冷却器３１７を有する。冷却器３１７は各相のレグを保持するとともに冷却する機能を果たしている。これら各相のレグと冷却器３１７とによってパワーモジュール３８０が構成されている。
【００４９】
なお、図１ではパワーモジュール３８０を破線で囲った領域で示している。そして図１では、表記都合のために、パワーモジュール３８０を示す破線で囲まれた領域の中に第２コンデンサ３０６が含まれる。内包関係を厳密に区別して言えば、第２コンデンサ３０６はパワーモジュール３８０に含まれていない。
【００５０】
図２に示すように冷却器３１７は供給管３１７ａと、排出管３１７ｂと、複数の中継管３１７ｃと、を有する。供給管３１７ａと排出管３１７ｂは複数の中継管３１７ｃを介して連結されている。これら３つの管の中を冷媒が流れる。供給管３１７ａから排出管３１７ｂへと、複数の中継管３１７ｃを介して冷媒が流れる。
【００５１】
供給管３１７ａと排出管３１７ｂはそれぞれｙ方向に延びている。供給管３１７ａと排出管３１７ｂはｘ方向で離間している。複数の中継管３１７ｃそれぞれは供給管３１７ａから排出管３１７ｂへと向かってｘ方向に沿って延びている。
【００５２】
複数の中継管３１７ｃはｙ方向に離間して並んでいる。隣り合う２つの中継管３１７ｃの間に空隙が構成されている。冷却器３１７には計７個の空隙が構成されている。これら７個の空隙それぞれに半導体モジュールを構成するＡ相レグ３４１、第１Ｕ相レグ３１１、第２Ｕ相レグ３１２、第１Ｖ相レグ３１３、第２Ｖ相レグ３１４、第１Ｗ相レグ３１５、第２Ｗ相レグ３１６それぞれが個別に設けられている。これら計７個のレグがｙ方向に離間して並んでいる。
【００５３】
これら７個のレグそれぞれはｙ方向で中継管３１７ｃと接触している。これにより７個のレグそれぞれで発生した熱が中継管３１７ｃを介して冷媒に放熱可能になっている。
【００５４】
＜コンデンサ＞
図２に示すように第１コンデンサ３０５と第２コンデンサ３０６はそれぞれ樹脂ケース３０７に収納されている。具体的に言えば、第１コンデンサ３０５と第２コンデンサ３０６は樹脂ケース３０７に樹脂封止されている。この樹脂ケース３０７はボルトなどによって後述の筐体５１０に固定されている。
【００５５】
＜給電バスバ＞
上記したように第１コンデンサ３０５に第１給電バスバ３０１と第２給電バスバ３０２が接続される。第１コンデンサ３０５とリアクトル３７０とが第１給電バスバ３０１を介して接続されている。この第１給電バスバ３０１は、図２に示すように複数の連結部位に分割されている。
【００５６】
すなわち第１給電バスバ３０１は、第１連結部位３０１ａ、第２連結部位３０１ｂ、および、第３連結部位３０１ｃに分割されている。第１連結部位３０１ａはバッテリ２００の正極と第１コンデンサ３０５の有する２つの電極のうちの一方とを接続している。第２連結部位３０１ｂは第１コンデンサ３０５の有する２つの電極のうちの一方とリアクトル３７０とを接続している。第３連結部位３０１ｃはリアクトル３７０とＡ相レグ３４１のバッテリ端子３４１ａとを連結している。
【００５７】
第１連結部位３０１ａと第２連結部位３０１ｂそれぞれの一部が樹脂ケース３０７に収納されている。第１連結部位３０１ａと第２連結部位３０１ｂそれぞれにおける樹脂ケース３０７から露出された部位はｘ方向に延びている。また第３連結部位３０１ｃはｘ方向とｙ方向とに延びている。
【００５８】
第１コンデンサ３０５の有する２つの電極のうちの他方に第２給電バスバ３０２が接続されている。この第２給電バスバ３０２の一部が樹脂ケース３０７に収納されている。第２給電バスバ３０２における樹脂ケース３０７から露出された部位はｘ方向に延びている。
【００５９】
第１連結部位３０１ａと第２給電バスバ３０２それぞれにおける樹脂ケース３０７から露出された部位の端部は、図２に示す第１コネクタ３９０ａに設けられる。この第１コネクタ３９０ａにワイヤハーネスなどが接続される。このワイヤハーネスを介して第１給電バスバ３０１と第２給電バスバ３０２がバッテリ２００に電気的に接続されている。
【００６０】
これも上記したように第２コンデンサ３０６に第３給電バスバ３０３と第４給電バスバ３０４が接続される。第２コンデンサ３０６とパワーモジュール３８０とが第３給電バスバ３０３と第４給電バスバ３０４を介して接続されている。
【００６１】
第２コンデンサ３０６の有する２つの電極のうちの一方に第３給電バスバ３０３が接続されている。第２コンデンサ３０６の有する２つの電極のうちの他方に第４給電バスバ３０４が接続されている。
【００６２】
第３給電バスバ３０３と第４給電バスバ３０４それぞれの一部が樹脂ケース３０７に収納されている。第３給電バスバ３０３と第４給電バスバ３０４それぞれにおける樹脂ケース３０７から露出された部位はｘ方向に延びている。この第３給電バスバ３０３における樹脂ケース３０７から露出された部位にコレクタ端子３０８が接続されている。第４給電バスバ３０４における樹脂ケース３０７から露出された部位にエミッタ端子３０９が接続されている。
【００６３】
なお第３給電バスバ３０３と第４給電バスバ３０４それぞれにおける樹脂ケース３０７から露出された部位はｚ方向で離間して並んでいる。これら２つの給電バスバの間に絶縁部材が介在されてもよいし、介在されなくともよい。
【００６４】
＜相バスバ＞
上記したようにＵ相バスバ３３１、Ｖ相バスバ３３２、Ｗ相バスバ３３３それぞれはモータ端子に接続されている。これら３相のバスバそれぞれの一部が図２に示す樹脂製の端子台３３４にインサート成形されている。３相のバスバはｙ方向で離間して並んでいる。またこれら３相のバスバそれぞれには電流センサ３３０が設けられている。この電流センサ３３０も端子台３３４にインサート成形されている。なおこれら３相のバスバは端子台３３４にインサート成形されずに、端子台３３４に例えばボルト止めされていてもよい。
【００６５】
図２に示すように端子台３３４の一面から、Ｕ相バスバ３３１の第１端部３３１ａ、Ｖ相バスバ３３２の第３端部３３２ａ、および、Ｗ相バスバ３３３の第５端部３３３ａそれぞれが露出されている。端子台３３４の一面とは反対側の他面からＵ相バスバ３３１の第２端部３３１ｂ、Ｖ相バスバ３３２の第４端部３３２ｂ、および、Ｗ相バスバ３３３の第６端部３３３ｂそれぞれが露出されている。これら３相のバスバそれぞれの端子台３３４の一面から露出された端部と、他面から露出された端部とは端子台３３４を中心としてｘ方向に互いに離間する態様で延びている。
【００６６】
図２に示すようにＵ相バスバ３３１の第１端部３３１ａに第１モータ端子３１１ａと第２モータ端子３１２ａが接続される。Ｖ相バスバ３３２の第３端部３３２ａに第３モータ端子３１３ａと第４モータ端子３１４ａが接続される。Ｗ相バスバ３３３の第５端部３３３ａに第５モータ端子３１５ａと第６モータ端子３１６ａが接続される。
【００６７】
そしてＵ相バスバ３３１の第２端部３３１ｂ、Ｖ相バスバ３３２の第４端部３３２ｂ、および、Ｗ相バスバ３３３の第６端部３３３ｂそれぞれは第２コネクタ３９０ｂに設けられる。上記したようにこの第２コネクタ３９０ｂにワイヤハーネスなどが接続される。このワイヤハーネスを介して３相のバスバがモータ４００の３相のステータコイルと電気的に接続されている。
【００６８】
以上に示した第１給電バスバ３０１〜第４給電バスバ３０４とＵ相バスバ３３１〜Ｗ相バスバ３３３がバスバに相当する。Ａ相およびＵ相〜Ｗ相の４相のレグそれぞれの備えるハイサイドスイッチとローサイドスイッチがスイッチに相当する。電気素子は電力変換回路を構成する第１コンデンサ３０５、第２コンデンサ３０６、リアクトル３７０、パワーモジュール３８０、第１コネクタ３９０ａ、および、第２コネクタ３９０ｂに相当する。
【００６９】
＜筐体＞
図２〜図５に示すように電力変換ユニット３００は、これまでに説明した構成要素の他に、これら構成要素を支持するケース５００を有する。
【００７０】
ケース５００は筐体５１０と蓋体５２０を有する。筐体５１０はｚ方向の厚さの薄い底部５１１と、底部５１１の内底面５１１ａの縁部からｚ方向に環状に起立した第１枠部５１２と、を有する。筐体５１０の開口が、第１枠部５１２における内底面５１１ａからｚ方向に離れた先端側で構成されている。
【００７１】
図３に示すように第１枠部５１２はｘ方向で互いに離間して対向する第１側壁５１２ａと第２側壁５１２ｂ、および、ｙ方向で互いに離間して対向する第３側壁５１２ｃと第４側壁５１２ｄを有する。ｚ方向まわりの周方向で、第１側壁５１２ａ、第３側壁５１２ｃ、第２側壁５１２ｂ、および、第４側壁５１２ｄが順に環状に連結されている。
【００７２】
また、底部５１１には、内底面５１１ａから第１枠部５１２の先端で構成される開口に向かって延びる第１底リブ５１１ｂと第２底リブ５１１ｃが形成されている。
【００７３】
第１底リブ５１１ｂと第２底リブ５１１ｃはｘ方向に離間して並んでいる。第１底リブ５１１ｂと第２底リブ５１１ｃそれぞれは第３側壁５１２ｃと第４側壁５１２ｄそれぞれに連結されている。これら２つの底リブによって、筐体５１０の中空は第１収納空間５１６ａ、第２収納空間５１６ｂ、および、第３収納空間５１６ｃの３つの中空に区画されている。
【００７４】
第１収納空間５１６ａは、第１側壁５１２ａ、第３側壁５１２ｃと第４側壁５１２ｄそれぞれの第１側壁５１２ａ側、および、第１底リブ５１１ｂによって区画されている。
【００７５】
第２収納空間５１６ｂは、第１底リブ５１１ｂ、ｘ方向に延びる第３側壁５１２ｃと第４側壁５１２ｄそれぞれの中央側、および、および、第２底リブ５１１ｃによって区画されている。
【００７６】
第３収納空間５１６ｃは、第２底リブ５１１ｃ、第３側壁５１２ｃと第４側壁５１２ｄそれぞれの第２側壁５１２ｂ側、および、第２側壁５１２ｂによって区画されている。
【００７７】
以上に示したように第１収納空間５１６ａと第２収納空間５１６ｂとの間に第１底リブ５１１ｂが位置している。第２収納空間５１６ｂと第３収納空間５１６ｃとの間に第２底リブ５１１ｃが位置している。
【００７８】
これら第１底リブ５１１ｂと第２底リブ５１１ｃそれぞれにおける第１枠部５１２の開口側のｚ方向に面する第１先端面５１１ｅに、樹脂性の底絶縁部材５１１ｄが設けられている。底絶縁部材５１１ｄは底リブの延長方向にならって、ｘ方向に延びている。底絶縁部材５１１ｄは第１収納空間５１６ａと第２収納空間５１６ｂとの間、および、第２収納空間５１６ｂと第３収納空間５１６ｃとの間それぞれに位置している。
【００７９】
図２と図３に示すように第１底リブ５１１ｂと第２底リブ５１１ｃそれぞれにおける第２収納空間５１６ｂの一部を区画する壁面に第１支持部５１３と第２支持部５１４が連結されている。第１支持部５１３と第２支持部５１４はｙ方向で離間している。本実施形態では第１支持部５１３と第２支持部５１４は底部５１１に連結されている。しかしながらこれら支持部は底部５１１に連結されていなくてもよい。
【００８０】
第１支持部５１３は、ｘ方向に沿って第１底リブ５１１ｂと第２底リブ５１１ｃとを連結する第１連結部５１３ａと、第１連結部５１３ａから第３側壁５１２ｃに向かって局所的に出っ張った第１締結部５１３ｂと、を有する。
【００８１】
第１連結部５１３ａには上記した冷却器３１７の供給管３１７ａと排出管３１７ｂを設けるための２つの溝部５１３ｄが形成されている。これら２つの溝部５１３ｄは筐体５１０の開口側から底部５１１側に向かって局所的に凹んでいる。
【００８２】
第１締結部５１３ｂはｚ方向において底部５１１と離間している。第１締結部５１３ｂには、ｚ方向に貫通する第１ボルト孔５１３ｃが形成されている。
【００８３】
第２支持部５１４は第１底リブ５１１ｂから第２底リブ５１１ｃに向かって延びる第１基部５１４ａと、第２底リブ５１１ｃから第１底リブ５１１ｂに向かって延びる第２基部５１４ｂと、を有する。第１基部５１４ａと第２基部５１４ｂはｘ方向で離間して並んでいる。第１基部５１４ａと第２基部５１４ｂそれぞれにはｚ方向に貫通する第２ボルト孔５１４ｆが形成されている。
【００８４】
第２支持部５１４は、第１基部５１４ａと第２基部５１４ｂの他に、第１基部５１４ａから第１支持部５１３に向かって延びる第１突起部５１４ｃと、第２基部５１４ｂから第１支持部５１３に向かって延びる第２突起部５１４ｄと、を有する。
【００８５】
第１突起部５１４ｃと第２突起部５１４ｄそれぞれにおける第１支持部５１３側の第１端面５１４ｅにバネ体５１５が設けられている。バネ体５１５は金属製の弾性材料から成る。バネ体５１５はｙ方向に弾性変形可能になっている。バネ体５１５としては板バネなどを採用することができる。
【００８６】
第１支持部５１３が側部に相当する。第２支持部５１４が支持部に相当する。第１締結部５１３ｂと第１基部５１４ａと第２基部５１４ｂそれぞれが底締結部に相当する。第１ボルト孔５１３ｃと第２ボルト孔５１４ｆそれぞれが底ボルト孔に相当する。
【００８７】
＜蓋体＞
蓋体５２０は筐体５１０と同様の形状を成している。図４に示すように蓋体５２０は、ｚ方向の厚さの薄い蓋部５２１と、蓋部５２１の内蓋面５２１ａの縁部からｚ方向に環状に起立した第２枠部５２２と、を有する。蓋体５２０の開口が、第２枠部５２２における内蓋面５２１ａからｚ方向に離れた先端側で構成されている。
【００８８】
図４に示すように第２枠部５２２はｘ方向で互いに離間して対向する第５側壁５２２ａと第６側壁５２２ｂ、および、ｙ方向で互いに離間して対向する第７側壁５２２ｃと第８側壁５２２ｄを有する。ｚ方向まわりの周方向で、第６側壁５２２ｂ、第７側壁５２２ｃ、第５側壁５２２ａ、および、第８側壁５２２ｄが順に環状に連結されている。
【００８９】
また蓋部５２１には、内蓋面５２１ａから第２枠部５２２の先端で構成される開口部に向かって延びる第１蓋リブ５２１ｂと第２蓋リブ５２１ｃが形成されている。
【００９０】
第１蓋リブ５２１ｂと第２蓋リブ５２１ｃはｘ方向に離間して並んでいる。第１蓋リブ５２１ｂと第２蓋リブ５２１ｃそれぞれは第７側壁５２２ｃと第８側壁５２２ｄそれぞれに連結されている。これにより、蓋体５２０の中空は第４収納空間５２６ａ、第５収納空間５２６ｂ、および、第６収納空間５２６ｃの３つの中空に区画されている。
【００９１】
第４収納空間５２６ａは、第５側壁５２２ａ、第７側壁５２２ｃと第８側壁５２２ｄそれぞれの第５側壁５２２ａ側、および、第１蓋リブ５２１ｂによって区画されている。
【００９２】
第５収納空間５２６ｂは、第１蓋リブ５２１ｂ、ｘ方向に延びる第７側壁５２２ｃと第８側壁５２２ｄそれぞれの中央側、および、第２蓋リブ５２１ｃによって区画されている。
【００９３】
第６収納空間５２６ｃは、第２蓋リブ５２１ｃ、第７側壁５２２ｃと第８側壁５２２ｄそれぞれの第６側壁５２２ｂ側、および、第６側壁５２２ｂによって区画されている。
【００９４】
以上に示したように第４収納空間５２６ａと第５収納空間５２６ｂとの間に第１蓋リブ５２１ｂが位置している。第５収納空間５２６ｂと第６収納空間５２６ｃとの間に第２蓋リブ５２１ｃが位置している。
【００９５】
図５に示すようにこれら第１蓋リブ５２１ｂと第２蓋リブ５２１ｃそれぞれにおける第２枠部５２２の開口側のｚ方向に面する第２先端面５２１ｅに、樹脂性の蓋絶縁部材５２１ｄが設けられている。蓋絶縁部材５２１ｄは蓋リブの延長方向にならって、ｘ方向に延びている。蓋絶縁部材５２１ｄは第４収納空間５２６ａと第５収納空間５２６ｂとの間、および、第５収納空間５２６ｂと第６収納空間５２６ｃとの間それぞれに位置している。
【００９６】
図４に示すように第１蓋リブ５２１ｂと第２蓋リブ５２１ｃそれぞれにおける第５収納空間５２６ｂの一部を区画する壁面に第３支持部５２３と第４支持部５２４が連結されている。第３支持部５２３と第４支持部５２４はｙ方向で離間している。本実施形態では第３支持部５２３と第４支持部５２４は蓋部５２１に連結されている。しかしながらこれら支持部は蓋部５２１に連結されていなくてもよい。
【００９７】
第３支持部５２３は、ｘ方向に沿って第１蓋リブ５２１ｂと第２蓋リブ５２１ｃとを連結する第２連結部５２３ａと、第２連結部５２３ａから第７側壁５２２ｃに向かって局所的に出っ張った第２締結部５２３ｂと、を有する。
【００９８】
第２締結部５２３ｂはｚ方向において蓋部５２１と離間している。第２締結部５２３ｂには、ｚ方向に貫通する第３ボルト孔５２３ｃが形成されている。
【００９９】
第４支持部５２４は第１蓋リブ５２１ｂから第２蓋リブ５２１ｃに向かって延びる第３基部５２４ａと、第２蓋リブ５２１ｃから第１蓋リブ５２１ｂに向かって延びる第４基部５２４ｂと、を備える。第３基部５２４ａと第４基部５２４ｂはｘ方向で離間して並んでいる。第３基部５２４ａと第４基部５２４ｂそれぞれにはｚ方向に貫通する第４ボルト孔５２４ｆが形成されている。
【０１００】
第４支持部５２４は、第３基部５２４ａと第４基部５２４ｂの他に、第３基部５２４ａから第３支持部５２３に向かって延びる第３突起部５２４ｃと、第４基部５２４ｂから第３支持部５２３に向かって延びる第４突起部５２４ｄと、を有する。
【０１０１】
筐体５１０に蓋体５２０が連結されて電力変換ユニット３００が組み上がった状態で、第３突起部５２４ｃと第４突起部５２４ｄそれぞれにおける第３支持部５２３側の第２端面５２４ｅはバネ体５１５とｙ方向で対向していない。しかしながら第２端面５２４ｅはバネ体５１５とｙ方向で対向していてもよい。
【０１０２】
第２締結部５２３ｂと第３基部５２４ａと第４基部５２４ｂそれぞれは蓋締結部に相当する。第３ボルト孔５２３ｃと第４ボルト孔５２４ｆそれぞれは蓋ボルト孔に相当する。
【０１０３】
＜筐体と蓋体との連結形態＞
上記した筐体５１０と蓋体５２０とは、内底面５１１ａと内蓋面５２１ａとがｚ方向で対向する態様で組み付けられる。この際、第１支持部５１３と第３支持部５２３がｚ方向で対向配置される。第２支持部５１４と第４支持部５２４がｚ方向で対向配置される。
【０１０４】
第１支持部５１３の第１ボルト孔５１３ｃの中空と第３支持部５２３の第３ボルト孔５２３ｃの中空とがｚ方向で並ぶ。同様にして、第２支持部５１４の第２ボルト孔５１４ｆと第４支持部５２４の第４ボルト孔５２４ｆの中空とがｚ方向で並ぶ。これら筐体５１０側のボルト孔の中空と蓋体５２０側のボルト孔の中空とによってボルト孔が複数構成されている。これら複数のボルト孔それぞれにボルトの軸部が挿入される。このボルトの締結によって筐体５１０と蓋体５２０とが連結されている。
【０１０５】
筐体５１０と蓋体５２０が連結形態にされた状態で、第１側壁５１２ａと第５側壁５２２ａ、第２側壁５１２ｂと第６側壁５２２ｂ、第３側壁５１２ｃと第７側壁５２２ｃ、および、第４側壁５１２ｄと第８側壁５２２ｄがｚ方向で対向している。第１収納空間５１６ａと第４収納空間５２６ａ、第２収納空間５１６ｂと第５収納空間５２６ｂ、および、第３収納空間５１６ｃと第６収納空間５２６ｃがｚ方向で連通している。なお筐体５１０の側壁と蓋体５２０の側壁はｚ方向で対向していなくてもよい。
【０１０６】
また図５に明示するように、第１底リブ５１１ｂと第１蓋リブ５２１ｂがｚ方向で離間して対向している。第２底リブ５１１ｃと第２蓋リブ５２１ｃがｚ方向で離間して対向している。第１底リブ５１１ｂに設けられた底絶縁部材５１１ｄと第１蓋リブ５２１ｂに設けられた蓋絶縁部材５２１ｄとがｚ方向で離間して対向している。第２底リブ５１１ｃに設けられた底絶縁部材５１１ｄと第２蓋リブ５２１ｃに設けられた蓋絶縁部材５２１ｄとがｚ方向で離間して対向している。なお、底リブと蓋リブはｚ方向で対向していなくてもよい。底絶縁部材５１１ｄと蓋絶縁部材５２１ｄもｚ方向で対向していなくともよい。
【０１０７】
＜収納形態＞
図２と図５に示すように、ｚ方向で連通している筐体５１０の第２収納空間５１６ｂと蓋体５２０の第５収納空間５２６ｂには、パワーモジュール３８０とバネ体５１５が設けられている。特に場所を限定して言えば、パワーモジュール３８０とバネ体５１５は、第２収納空間５１６ｂにおける第１支持部５１３、第２支持部５１４、第１底リブ５１１ｂ、および、第２底リブ５１１ｃによって囲まれた領域に設けられている。
【０１０８】
ｙ方向においてパワーモジュール３８０は第１支持部５１３側に位置している。バネ体５１５は第２支持部５１４側に位置している。バネ体５１５は第２支持部５１４の第１突起部５１４ｃと第２突起部５１４ｄそれぞれの第１端面５１４ｅに接触している。またバネ体５１５はパワーモジュール３８０の備える冷却器３１７の第２支持部５１４側の第１中継管３１７ｄと接触している。そして冷却器３１７の第１支持部５１３側の第２中継管３１７ｅが第１支持部５１３と接触している。バネ体５１５は第２支持部５１４と第１中継管３１７ｄとの間でｙ方向に縮んでいる。
【０１０９】
バネ体５１５は自身からｙ方向に離間する方向に付勢力を発生している。この付勢力によってパワーモジュール３８０の冷却器３１７は筐体５１０に支持されている。冷却器３１７は第１支持部５１３と第２支持部５１４それぞれと積極的に熱伝導可能になっている。これによって第１支持部５１３と第２支持部５１４は冷却器３１７によって積極的に冷却されやすくなっている。
【０１１０】
なお、冷却器３１７の供給管３１７ａと排出管３１７ｂは第１連結部５１３ａの溝部５１３ｄに設けられている。図２に示すように供給管３１７ａと排出管３１７ｂそれぞれの先端は筐体５１０の外に位置している。
【０１１１】
パワーモジュール３８０の備える複数の半導体モジュールそれぞれの樹脂部から、コレクタ端子３０８、エミッタ端子３０９、および、モータ端子やバッテリ端子３４１ａが露出されている。これら複数の端子それぞれはｚ方向に延びている。そしてこれら複数の端子はｘ方向で離間して並んでいる。
【０１１２】
ｚ方向で連通している筐体５１０の第１収納空間５１６ａと蓋体５２０の第４収納空間５２６ａには、第１コネクタ３９０ａ、第２コネクタ３９０ｂ、リアクトル３７０、および、端子台３３４が設けられている。第１コネクタ３９０ａと第２コネクタ３９０ｂは第１側壁５１２ａに設けられている。第１コネクタ３９０ａと第２コネクタ３９０ｂはｙ方向で離間している。これら２つのコネクタの間にリアクトル３７０が位置している。そして第２コネクタ３９０ｂと端子台３３４とがｘ方向で並んでいる。
【０１１３】
ｚ方向で連通している筐体５１０の第３収納空間５１６ｃと蓋体５２０の第６収納空間５２６ｃには、第１コンデンサ３０５と第２コンデンサ３０６を収納する樹脂ケース３０７が設けられている。ｙ方向において第１コンデンサ３０５は第１コネクタ３９０ａ側に位置している。第２コンデンサ３０６は第２コネクタ３９０ｂ側に位置している。
【０１１４】
＜バスバの延長形態＞
図２に明示するように、第１給電バスバ３０１の第１連結部位３０１ａと第２給電バスバ３０２は、バッテリ２００と接続される第１コネクタ３９０ａから第１コンデンサ３０５の収納された樹脂ケース３０７に向かって延びている。これら第１連結部位３０１ａと第２給電バスバ３０２それぞれにおける第１コネクタ３９０ａと第１コンデンサ３０５とを架橋する部位は、第１収納空間５１６ａから第３収納空間５１６ｃへと向かって延びている。
【０１１５】
第１給電バスバ３０１の第２連結部位３０１ｂは、第１コンデンサ３０５を収納する樹脂ケース３０７からリアクトル３７０に向かって延びている。この第２連結部位３０１ｂにおける第１コンデンサ３０５とリアクトル３７０とを架橋する部位は、第１収納空間５１６ａから第３収納空間５１６ｃへと向かって延びている。
【０１１６】
第１給電バスバ３０１の第３連結部位３０１ｃは、リアクトル３７０からパワーモジュール３８０のバッテリ端子３４１ａに向かって延びている。この第３連結部位３０１ｃにおけるリアクトル３７０とバッテリ端子３４１ａとを架橋する部位は、第１収納空間５１６ａから第２収納空間５１６ｂへと向かって延びている。
【０１１７】
第３給電バスバ３０３と第４給電バスバ３０４は、第２コンデンサ３０６の収納された樹脂ケース３０７からパワーモジュール３８０のコレクタ端子３０８とエミッタ端子３０９に向かって延びている。これら第３給電バスバ３０３と第４給電バスバ３０４それぞれにおける第２コンデンサ３０６とコレクタ端子３０８およびエミッタ端子３０９とを架橋する部位は、第３収納空間５１６ｃから第２収納空間５１６ｂへと向かって延びている。
【０１１８】
Ｕ相バスバ３３１〜Ｗ相バスバ３３３は、パワーモジュール３８０のモータ端子からモータ４００のステータコイルと接続される第２コネクタ３９０ｂに向かって延びている。これらＵ相バスバ３３１〜Ｗ相バスバ３３３それぞれにおけるモータ端子と第２コネクタ３９０ｂとを架橋する部位は、第２収納空間５１６ｂから第１収納空間５１６ａへと向かって延びている。
【０１１９】
以上に示したように、各バスバは筐体５１０の有する３つの収納空間のうちの１つから他へと向かって延びている。上記したように第１収納空間５１６ａと第２収納空間５１６ｂとの境に第１底リブ５１１ｂが位置している。第２収納空間５１６ｂと第３収納空間５１６ｃとの境に第２底リブ５１１ｃが位置している。そのために各バスバは第１底リブ５１１ｂと第２底リブ５１１ｃうちの少なくとも一方とｚ方向で対向している。各バスバは第１底リブ５１１ｂに設けられた底絶縁部材５１１ｄと第２底リブ５１１ｃに設けられた底絶縁部材５１１ｄのうちの少なくとも一方と接触している。
【０１２０】
また、蓋体５２０側から着目して表現すると、各バスバは蓋体５２０の有する３つの収納空間のうちの１つから他へと向かって延びている。上記したように第４収納空間５２６ａと第５収納空間５２６ｂとの境に第１蓋リブ５２１ｂが位置している。第５収納空間５２６ｂと第６収納空間５２６ｃとの境に第２蓋リブ５２１ｃが位置している。そのために各バスバは第１蓋リブ５２１ｂと第２蓋リブ５２１ｃうちの少なくとも一方とｚ方向で対向している。各バスバは第１蓋リブ５２１ｂに設けられた蓋絶縁部材５２１ｄと第２蓋リブ５２１ｃに設けられた蓋絶縁部材５２１ｄのうちの少なくとも一方と接触している。
【０１２１】
特に本実施形態では底絶縁部材５１１ｄと蓋絶縁部材５２１ｄとがｚ方向で離間して対向している。そのために各バスバは底リブの第１先端面５１１ｅと蓋リブの第２先端面５２１ｅの間に挟まれる態様で底絶縁部材５１１ｄと蓋絶縁部材５２１ｄそれぞれに接触している。
【０１２２】
＜作用効果＞
以上に示したように、各バスバは底絶縁部材５１１ｄを介して底リブに支持される。そのために各バスバの振動が抑制される。その結果、各バスバと電力変換回路を構成する電気素子との間の接続部位で接続不良の発生が抑制される。
【０１２３】
また各バスバは、底絶縁部材５１１ｄを介して底リブに支持されるだけではなく、蓋絶縁部材５２１ｄを介して蓋リブに支持される。そのために各バスバの振動が効果的に抑制される。
【０１２４】
各バスバは底リブの第１先端面５１１ｅと蓋リブの第２先端面５２１ｅの間に挟まれる態様で底絶縁部材５１１ｄと蓋絶縁部材５２１ｄそれぞれに接触している。筐体５１０と蓋体５２０とは互いに近づく態様でボルト締結されている。これにより各バスバの振動がより効果的に抑制される。
【０１２５】
具体的に言えば、第３連結部位３０１ｃ、第３給電バスバ３０３、第４給電バスバ３０４、第１端部３３１ａ、第３端部３３２ａ、および、第５端部３３３ａそれぞれはパワーモジュール３８０のスイッチと接続される。それとともにこれらバスバは底絶縁部材５１１ｄと蓋絶縁部材５２１ｄそれぞれに接触する。
【０１２６】
そのために複数のスイッチで生じた熱はこれらのバスバと絶縁部材を介して底リブと蓋リブに熱伝導される。そのためにスイッチで生じた熱がバスバを介してリアクトル３７０やコンデンサに熱伝導することが抑制される。
【０１２７】
冷却器３１７は第１支持部５１３と第２支持部５１４との間に位置している。バネ体５１５が第２支持部５１４と冷却器３１７との間でｙ方向に縮んでいる。バネ体５１５の付勢力によって冷却器３１７とバネ体５１５との接触面積、および、冷却器３１７と第１支持部５１３との接触面積それぞれが増大している。またバネ体５１５と第２支持部５１４との接触面積が増大している。これにより接触界面での熱抵抗が低まっている。この接触界面において積極的に熱伝導可能になっている。
【０１２８】
これら冷却器３１７と積極的に熱伝導可能な第１支持部５１３と第２支持部５１４それぞれに第１底リブ５１１ｂと第２底リブ５１１ｃが連結されている。これら底リブに底絶縁部材５１１ｄが設けられている。そのために底絶縁部材５１１ｄは冷却器３１７によって昇温されがたくなっている。これによりバスバに伝熱されたスイッチの熱は、底絶縁部材５１１ｄを介して底リブに熱伝導されやすくなっている。スイッチで生じた熱はバスバを介してリアクトル３７０やコンデンサに熱伝導されがたくなっている。
【０１２９】
また、第１支持部５１３の第１ボルト孔５１３ｃと第３支持部５２３の第３ボルト孔５２３ｃとにボルトが締結される。第２支持部５１４の第２ボルト孔５１４ｆと第４支持部５２４の第４ボルト孔５２４ｆとにボルトが締結される。これによって筐体５１０と蓋体５２０とが連結されている。そのために冷却器３１７と積極的に熱伝導可能な第１支持部５１３と蓋体５２０の第３支持部５２３とがボルトを介して熱伝導可能になっている。冷却器３１７と積極的に熱伝導可能な第２支持部５１４と蓋体５２０の第４支持部５２４とがボルトを介して熱伝導可能になっている。
【０１３０】
そしてこれら蓋体５２０の第３支持部５２３と第４支持部５２４とに第１蓋リブ５２１ｂと第２蓋リブ５２１ｃが連結されている。これら蓋リブに蓋絶縁部材５２１ｄが設けられている。以上に示した連結形態のため、蓋絶縁部材５２１ｄは昇温されがたくなっている。これによりバスバに伝熱されたスイッチの熱は、蓋絶縁部材５２１ｄを介して蓋リブに熱伝導されやすくなっている。これによっても、スイッチで生じた熱がリアクトル３７０やコンデンサに熱伝導されがたくなっている。
【０１３１】
以上、本開示の好ましい実施形態について説明したが、本開示は上記した実施形態になんら制限されることなく、本開示の主旨を逸脱しない範囲において、種々変形して実施することが可能である。
【０１３２】
＜第１変形例＞
図６に示す変形例の場合、蓋体５２０は蓋リブを有していなくてもよい。この場合、バスバは底絶縁部材５１１ｄに接触している。バスバがｚ方向に振動することが抑制される。
【０１３３】
＜第２変形例＞
また図７に示すようにケース５００は蓋体５２０を有していなくてもよい。
【符号の説明】
【０１３４】
３０１…第１給電バスバ、３０２…第２給電バスバ、３０３…第３給電バスバ、３０４…第４給電バスバ、３０５…第１コンデンサ、３０６…第２コンデンサ、３１７…冷却器、３２１…第２ハイサイドスイッチ、３２２…第２ローサイドスイッチ、３２３…第３ハイサイドスイッチ、３２４…第３ローサイドスイッチ、３２５…第４ハイサイドスイッチ、３２６…第４ローサイドスイッチ、３３１…Ｕ相バスバ、３３２…Ｖ相バスバ、３３３…Ｗ相バスバ、３５０…第１ハイサイドスイッチ、３５１…第１ローサイドスイッチ、３７０…リアクトル、３８０…パワーモジュール、３９０ａ…第１コネクタ、３９０ｂ…第２コネクタ、５１０…筐体、５１１…底部、５１１ｂ…第１底リブ、５１１ｃ…第２底リブ、５１１ｄ…底絶縁部材、５１１ｅ…第１先端面、５１３…第１支持部、５１３ｂ…第１締結部、５１３ｃ…第１ボルト孔、５１４ａ…第１基部、５１４ｂ…第２基部、５１４ｆ…第２ボルト孔、５１５…バネ体、５２０…蓋体、５２１ｂ…第１蓋リブ、５２１ｃ…第２蓋リブ、５２１ｄ…蓋絶縁部材、５２１ｅ…第２先端面、５２３ｂ…第２締結部、５２３ｃ…第３ボルト孔、５２４ａ…第３基部、５２４ｂ…第４基部、５２４ｆ…第４ボルト孔
【図１】
2020167786.tif 000003
【図２】
2020167786.tif 000004
【図３】
2020167786.tif 000005
【図４】
2020167786.tif 000006
【図５】
2020167786.tif 000007
【図６】
2020167786.tif 000008
【図７】
2020167786.tif 000009